(57)【要約】      （修正有）【課題】水平支持棒が支持金具の切欠部内から不用意に移動したり脱落したりすることを防止可能にする陳列装置を提供する。【解決手段】支持金具１には水平支持棒９端部を着脱可能に収納する支持切欠部２と、これらの支持切欠部２に収納された水平支持棒９の端部が支持切欠部２から脱抜しないように支持金具１に装着される水平支持棒拘束金具５と、を備える構成である。【選択図】図９
0003143903.tif 000002
【実用新案登録請求の範囲】
【請求項１】
一対の支柱のそれぞれに支持金具が水平支持され、これらの支持金具に水平支持棒が支持された陳列装置であって、
前記支持金具に形成されて、前記水平支持棒の端部を着脱可能に支持する支持
切欠部と、
これらの支持切欠部に支持された水平支持棒が前記支持切欠部から自由に脱抜
しないように前記水平支持棒を拘束する水平支持棒拘束金具と、
を備えることを特徴とする陳列装置。
【請求項２】
前記水平支持棒拘束金具は、前記支持金具に挟着可能なコ字状の弾性金属板からなり、前記水平支持棒を、前記支持金具を挟む２箇所において前記支持切欠部内に弾性的に拘束するものであることを特徴とする請求項１に記載の陳列装置。
【考案の詳細な説明】
【技術分野】
【０００１】
本考案は、水平支持棒に吊持または支持させた商品やその他の物品を陳列または展示するのに用いる陳列装置に関する。
【背景技術】
【０００２】
デパートや商店においては、商品の陳列や展示にその商品を吊持または支持するための陳列装置が用いられている。この陳列装置は、一対の支柱の前面に係合孔を設け、これらの係合孔に支持金具の一端に設けられたフック部を着脱可能に係止し、これらの支持金具間に商品等を吊持または載置するための水平支持棒や陳列用棚板を支持させるように構成されている。
【特許文献１】特開２０００−１０２４６１号公報
【考案の開示】
【考案が解決しようとする課題】
【０００３】
しかしながら、かかる従来の陳列装置にあっては、前記支持金具に対する水平支持棒の支持が単純な載置であったり、支持金具に設けられた移動規制用の切欠部に支持棒を受容させたりする構成であるため、陳列装置を床上で移動させる際に発生する振動や不用意な下方から上方への外力の押圧によって、支持棒が支持金具上を滑りながら移動したり、前記切欠部から外れたりして、商品とともに床上に落下するなどの不都合があった。
【０００４】
本考案は前記のような従来の問題点に着目してなされたものであり、支持金具に設けられた支持切欠部内に水平支持棒を支持可能にするとともに、振動や外力の押圧を受けても水平支持棒が前記支持切欠部内から簡単に脱出したり脱落したりすることを確実に防止でき、床上の移動や商品等の取り扱いを安心かつ安全に実施することができる陳列装置を提供することを目的とする。
【課題を解決するための手段】
【０００５】
前記目的達成のために、本考案にかかる陳列装置は、一対の支柱のそれぞれに支持金具が水平支持され、これらの支持金具に水平支持棒が支持された陳列装置であって、前記支持金具に形成されて、前記水平支持棒の端部を着脱可能に支持する支持切欠部と、これらの支持切欠部に支持された水平支持棒が前記支持切欠部から自由に脱抜しないように前記水平支持棒を拘束する水平支持棒拘束金具と、
を備えることを特徴とする。
【０００６】
この構成により、水平支持棒は両端が支持金具の支持切欠部内に収納された状態で、支持金具とは別に用意された水平支持棒拘束金具によって強制的に保持されるため、陳列装置を床上に移動させた際に支持金具等に大きな振動が加わっててもあるいは水平支持棒に上方への外力が押圧されても、その水平支持棒は支持切欠内に安定的に保持される。従って、前記水平支持棒が不用意に支持金具上を滑りながら移動したり、支持切欠内から脱抜したりする惧れがない。この結果、水平支持棒に吊持された商品等が床面に落下したり、その落下によって商品が汚れたり破損したりする等の事故を未然に回避することができる。
【０００７】
また、本考案に係る陳列装置は、前記水平支持棒拘束金具は、前記水平支持棒拘束金具が、前記支持金具に挟着可能なコ字状の弾性金属板からなり、前記水平支持棒を、前記支持金具を挟む２箇所において前記支持切欠部内に弾性的に拘束するものであることを特徴とする。
【０００８】
この構成により、水平支持棒拘束金具が支持切欠内にある水平支持棒を適度の押圧力により支持切欠内の一方へ押圧付勢することとなり、従って水平支持棒と支持切欠部との間に隙間が生じることによる水平支持棒のガタ付きおよびガタ付き音の発生を回避することができる。
【考案の効果】
【０００９】
本考案によれば、支持金具に設けられた支持切欠部内に水平支持棒を支持させた場合に、その水平支持棒が振動や外力の押圧を受けることがあっても、その支持切欠部内から水平支持棒が簡単に脱出したり脱落したりすることを確実に防止でき、従って陳列装置の移動や商品等の取り扱いを安全かつ速やかに実施することができる
【考案を実施するための最良の形態】
【００１０】
以下に、本考案の実施形態による陳列装置を図面を参照して詳細に説明する。
図１は、本考案に係る陳列装置の支持金具を示す要部の正面図、図２は、その支持金具に装着される水平支持棒拘束金具を示す斜視図、図３は、図２に示す水平支持棒拘束金具の正面図、図４は、図２に示す水平支持棒拘束金具の平面図、図５は、図２に示す水平支持棒拘束金具の左側面図、図６は、図２に示す水平支持棒拘束金具の右側面図、図７は、支持金具に水平支持棒拘束金具を装着した状態の正面図、図８は、支持金具に水平支持棒拘束金具を装着した状態の平面図、図９は、支持金具に水平支持棒拘束金具を装着した状態の断面図、図１０は、支持金具から水平支持棒拘束金具を分離する方法を示す説明図、図１１は、支持金具から水平支持棒拘束金具を分離するための水平支持棒拘束金具分離用工具を示す斜視図、図１２は、水平支持棒拘束金具による水平支持棒の他の保持形態を示す断面図、図１３は、図１２に示す水平支持棒拘束金具の正面図、図１４は、図１３に示す水平支持棒拘束金具の平面図である。
【００１１】
図１は、支柱前面に穿設された係止孔に係合するフック部（図示省略）を持った支持金具１を、一部破断して示す。この支持金具１は所定長、所定厚の金属板をプレス加工し、円弧状の支持切欠部２および楔状の係合切欠３を上縁部に凹設したものからなる。この支持金具１の先端は、支持切欠部２の円弧形状に合わせた円弧状部４とされている。
【００１２】
支持切欠部２は、円弧状部２ａと、この円弧状部２ａに連続し、支持金具１の上縁に向かって斜めに連続する傾斜状部２ｂとからなる。つまり、傾斜状部２ｂは支持金具１の前方に向かって低くなるように傾斜している。支持切欠部２の円弧状部２ａの内径は、ここに収納する後述の水平支持棒の外径より僅か大きめに設定されている。また、この円弧状部２ａに傾斜状部２ｂを連設することで、支持切欠部２の支持金具１の上縁における開口寸法Ｌは、前記水平支持棒の外径より大きくなる。従って、円弧状部２ａ内への水平支持棒の収納（落とし込み）操作が容易になる。
【００１３】
係合切欠３は支持切欠部２の後方から所定距離おいて形成されている。この係合切欠３は支持金具１の上縁から後方に向かって低くなるように傾斜する傾斜ガイド部３ａと、この傾斜ガイド部３ａに対し所定間隔おいて対向する楔突起部３ｂとからなる。なお、傾斜ガイド部３ａと楔突起部３ｂとの間隔は後述の水平支持棒拘束金具（図１では、鎖線で示す）の板圧程度とされる。
【００１４】
図２は、支持切欠部２内に収納された水平支持棒がその支持切欠部２内から脱抜しないように保持する水平支持棒拘束金具５を示す斜視図である。図２乃至図６の水平支持棒拘束金具５は全体として弾性の金属板によって略コ字状にプレス加工され、開口部が外側に向かってハ字状に開いた形態をなす。詳細には、互いに対向する一対の対向片５ａ、５ａと、これらを繋ぐ連結片５ｂとによってコ字状に形成され、対向片５ａ、５ａの先端部がハ字状に開口した弾性支持片部Ｐとなっている。
【００１５】
弾性支持片部Ｐには、支持切欠部２の円弧状部２ａと略等しい径の円弧状部６がそれぞれ形成されている。また、連結片５ｂの上部には絞り加工等によって外周面から内周面に向かって凹部７が形成されている。この凹部７は、支持金具１の係合切欠３に設けられた楔突起部３ｂに嵌合可能な形状および位置に形成されている。なお、この楔突起部３ｂには表面が円滑な山形状をなしている。
【００１６】
水平支持棒拘束金具５における凹部７下部には、切欠部８が形成されている。この切欠部８の幅Ｗは支持金具１の板厚より僅か大きめに設定され、高さＨは支持金具１を跨ぐことができる適当な寸法に設定されている。
【００１７】
図７乃至図９は、支持金具１に水平支持棒９を支持させ、この支持状態を水平支持棒拘束金具５によって保持させる状態を示す。この状態では、支持金具１の支持切欠部２に対し円筒状断面を持つ水平支持棒９の両端部を、矢印Ｋ方向に案内することによって支持させる。
【００１８】
次に、水平支持棒拘束金具５の対向片５ａ、５ａが弾性支持片部Ｐ側から支持金具１の上縁部を跨ぐようにしながら、各円弧状部６を、図７の鎖線で示すように、水平支持棒９の外周に押し当てる。続いて、この円弧状部６の押し当て状態を維持したまま、水平支持棒拘束金具５の連結片５ｂを結合切欠部３内に嵌まり込むように、矢印Ｍ方向に押し下げる。この押し下げ操作によって、連結片５ｂ下部の切欠部８が楔突起部３ｂを通過するとともに、その切欠部８が切れるところの連結片５ｂの一部が楔突起部３ｂに突き当たる。
【００１９】
ここで、続けて更に強い操作力で連結片５ｂ側を前記矢印Ｍ方向に押し下げる。これにより、この操作力を受けて連結片５ｂは僅か厚み方向に変形しながら前記楔突起部３ｂを乗り越えた後、続いて切欠部８の上方にある凹部７がこの楔突起部３ｂに嵌まり込む。このため、この凹部７付近の連結片５ｂの変形が解除されて、元の状態に復帰する。従って、凹部７と突起部３ｂとの嵌合状態が安定的に保持される。
【００２０】
なお、操作力を受けて連結片５ｂが撓みながら楔突起部３ｂを乗り越えるときは、対向片５ａの弾性支持片部Ｐの先端が水平支持棒９に強く押し当てられる。この押し当て力を受けて、ハ字状の弾性支持片部Ｐは、自身の弾性によって図８の鎖線で示す状態から実線の円弧状態に反るように変形する。
【００２１】
従って、この弾性支持片部９は水平支持棒９を支持切欠部２内において所定の圧力で突っ張るように押し付け（保持）る。つまり、陳列装置を移動中などに床上から大きな振動を受けても、あるいは水平支持棒９に下方から上方への不用意な外力が作用しても、水平支持棒９は移動せず、例えば水平支持棒９に吊持された商品等を安定的に支持することができる。当然のことながら、水平支持棒９は支持切欠部２内においてガタついたり、ガタ付き音を発生させるすることはない。
【００２２】
図１０は、前述のように水平支持棒９を保持している水平支持棒拘束金具５を支持金具１から解脱（分離）するための金属工具１０を示す。この金属工具１０は全体としてＪ字状をなし、長めの操作片１０ａと、これに連続するＬ字状片１０ｂとからなる。Ｌ字状片１０ｂの先端部は幾分外側に向かって円弧状（円弧状部１０ｃ）に開いており、このＬ字状片１０ｂに沿って先端部に開放する溝１１が設けられている。操作片１０ａの先端部には紐などを通す小孔１２が設けられている。
【００２３】
この金属工具１０は、図１０に示すように、水平支持棒拘束金具５付近の支持金具１に対し、一点鎖線で示すように装着される。この装着は、支持金具１に対しこれの上縁側から金属工具１０の溝１１を嵌め合わせる。そしてこの金属工具１０の円弧部１０ｃの内側を水平支持棒拘束金具５の下面に支承させ、この状態で操作片１０ａを矢印Ｎ方向に回動操作する。
【００２４】
このため、操作片１０ａは溝１１の基部が支持金具１の上縁に支持されながら回動し、水平支持棒拘束金具５の楔突起部３ｂに嵌合している凹部１７がこの楔突起部３ｂから強制的に解脱され、水平支持棒拘束金具５は矢印Ｏ方向に回動し、遂には支持金具１から分離される。
【００２５】
図１２乃至図１４は本考案の他の実施形態を示す。この実施形態では、支持金具１Ａに形成される支持切欠部１２が矩形状部１２ａとこの矩形状部１２ａに連続し、支持金具１Ａの上縁に向かって斜めに連続する傾斜状部１２ｂとからなる。この傾斜状部１２ｂの設置により、支持切欠部１２の開口寸法は水平支持棒１３の幅よりも大きくなる。矩形状部１２ａはこれに収納する水平支持棒１３の断面積より僅か大きめに設定されている。水平支持棒１３は断面が矩形筒状をなす。
【００２６】
この支持切欠部１２の底部１２ｃは傾斜状部１２ｂに対し略直交する角度を持つ。これによって、水平支持棒１３の支持切欠部１２内への出し入れを容易化することができる。また、水平支持棒１３の支持切欠部１２内でのガタ付きの発生を確実に抑えることができる。
【００２７】
また、支持切欠部１２内に収納される水平支持棒１３は、図１３および図１４に示すように、全体として薄い金属板をコ字状に成形した、水平支持棒拘束金具１４によって保持されている。この水平支持棒拘束金具１４は図３および図４に示した水平支持棒拘束金具５と略同様の形態であり、異なるところは、水平支持棒１３と対向する部位に、この水平支持棒１３上部の角部と下部側面とに係止する係止切欠１５および鋭角の尖端縁１６をそれぞれ有する点である。
【００２８】
従って、水平支持棒拘束金具１４は、図３乃至図６に示したものと同様の弾性支持片部Ｐのほか、凹部１７および切欠部１８が設けられて、凹部１７には支持金具１Ａの係合切欠３内にある楔突起部３ｂに係合可能になっている。
【００２９】
この実施形態における水平支持棒拘束金具１４は、凹部１７が楔突起部３ｂに嵌合するように支持金具１Ａの上縁から垂直下方に押し込むことで、係止切欠１５を水平支持棒１３の角部に、また尖端縁１６を水平支持棒１３の側面下部に、図１２に示すように突き当てることができる。この状態では、弾性支持片部Ｐは、図８に示した場合と同様に、鎖線で示す状態から実線で示す円弧状にわん曲し、水平支持棒１３を１つの矩形状部１２ａ内面に隙間なくまた押し付けるようにして弾性支持する。
【００３０】
このようにして水平支持棒１３を保持する水平支持棒拘束金具１４を支持金具１Ａから分離する場合には、図１０について説明した手法と同様にして金属工具１０を操作すればよい。
【００３１】
図９に示すように、本実施形態では、支持金具１に水平支持棒９の端部を支持切欠部２に着脱可能に収納し、これらの支持切欠部２に収納された水平支持棒９の端部が支持切欠部２から脱抜しないように、水平支持棒９を水平支持棒拘束金具５によって支持金具１に保持させたことにより、陳列装置を床上に移動させた際に支持金具１等に大きな振動が加わっても、また水平支持棒９に上方への外力が加和っても、水平支持棒９は支持切欠部２内に安定的に保持される。従って、水平支持棒９が支持金具１上を滑って移動したり、支持切欠部２内から跳び出す惧れはなく、水平支持棒９に吊持された商品等が床面に落下することを未然に回避することができる。
【００３２】
そして、支持金具１は全体としてコ字状の形態をなし、その支持金具１を挟む２箇所において支持切欠部２に水平支持棒９を弾性支持させるような構成としたことで、水平支持棒拘束金具５が支持切欠部２内にある水平支持棒９を弾性作用によって支持切欠部２内の一方へ押圧付勢し、従って水平支持棒９と支持切欠部２との間に隙間が生じることによる水平支持棒9のガタ付きおよびガタ付き音の発生をなくすることができる。
【産業上の利用可能性】
【００３３】
本考案は、水平支持棒が振動や外力の押圧を受けてもその切欠部内から簡単に脱出したり脱落したりすることを確実に防止し、床上の移動や商品等の取り扱いを安全かつ速やかに実施することができるという効果を有し、商品、その他の物品を吊持または支持することによって陳列または展示するのに用いる陳列装置等に有用である。
【図面の簡単な説明】
【００３４】
【図１】本考案に係る陳列装置の支持金具を示す要部の正面図である。
【図２】図１における支持金具に装着される水平支持棒拘束金具を示す斜視図である。
【図３】図１における支持金具に装着される水平支持棒拘束金具の側面図である。
【図４】図２に示す水平支持棒拘束金具の平面図である。
【図５】図２に示す水平支持棒拘束金具の左側面図である。
【図６】図２に示す水平支持棒拘束金具の右側面図である。
【図７】図２に示す支持金具に水平支持棒拘束金具を装着した状態の正面図である。
【図８】図２に示す支持金具に水平支持棒拘束金具を装着した状態の平面図である。
【図９】図２に示す支持金具に水平支持棒拘束金具を装着した状態の断面図である。
【図１０】図２に示す支持金具から水平支持棒拘束金具を分離する方法を示す説明図である。
【図１１】図２に示す支持金具から水平支持棒拘束金具を分離するための水平支持棒拘束金具分離用工具を示す斜視図である。
【図１２】水平支持棒拘束金具による水平支持棒の他の実施形態を示す断面図である。
【図１３】図１２に示す水平支持棒拘束金具の正面図である。
【図１４】図１２に示す水平支持棒拘束金具の平面図である。
【符号の説明】
【００３５】
１，１Ａ…支持金具、２，１２…支持切欠部、３…係合切欠、３ｂ…楔突起部
５，１４…水平支持棒拘束金具、６…円弧状部、７，１７…凹部、８，１８…切欠部、９，１３…水平支持棒、１２…支持切欠部、１５…係止切欠、１６…尖端縁、Ｐ…弾性支持片部
【図１】
0003143903.tif 000003
【図２】
0003143903.tif 000004
【図３】
0003143903.tif 000005
【図４】
0003143903.tif 000006
【図５】
0003143903.tif 000007
【図６】
0003143903.tif 000008
【図７】
0003143903.tif 000009
【図８】
0003143903.tif 000010
【図９】
0003143903.tif 000011
【図１０】
0003143903.tif 000012
【図１１】
0003143903.tif 000013
【図１２】
0003143903.tif 000014
【図１３】
0003143903.tif 000015
【図１４】
0003143903.tif 000016